(57)【特許請求の範囲】
【請求項１】
蓋部、側壁部及び底部が連設された直方体状の包装箱において、該蓋部は、上側から外蓋片、裏蓋片及び内蓋片によって三重に構成され、該外蓋片の手前の辺に沿った折り目Ｓの外側に外フラップが設けられ、該外フラップには該折り目Ｓより僅か上方に平行に設けた切れ目ｈと左右の切れ目ｇに挟まれる矩形状の中フラップが設けられ、該中フラップに折れ溝を形成するため切れ目ｈの左右に折り目Ｓへ短い切れ目ｑが設けられ、かつ、該外蓋片に中央から折り目Ｓの左右端へ三角形状のジッパー片を剥ぎ取り可能に設け、一方、該外蓋片と対面する裏蓋片の側壁部との境界の折り目Ｆに沿って底辺を折り目Ｆの一部とする舌片が曲折可能に設けられるとともに、この舌片の内側に沿って細長いスリット溝が形成されてなり、該外フラップが直角に曲折されて該中フラップとともに該スリット溝に挿着され、該舌片は直角に曲折されて該折れ溝へ挿通されて該蓋部が閉じた状態となることを特徴とする不正開封防止包装箱。
【請求項２】
前記中フラップは、左右の切れ目ｇの根元に曲折自在に折り目を設けたことを特徴とする請求項１記載の不正開封防止包装箱。
【請求項３】
前記外フラップは、根元の左右に鍵状に凹んだノッチを設け、このノッチ間の内法長さが前記スリット溝の長さと略同等であることを特徴とする請求項１記載の不正開封防止包装箱。
【発明の詳細な説明】
【技術分野】
【０００１】
本発明は、一旦商品を梱包して密封した後は箱を破らないと開封できない不正開封防止構造の包装箱に関する。詳しくは、包装箱の中に梱包した例えばプリンターのカートリッジの純正品を移送中に抜き取り、しかる後偽物とすり替えることができないようにした包装箱であって、もしこのようなことが行われた場合には、ジッパー切れ目をもうけることによってそのことを判明するようにした不正開封防止構造の包装箱に関する。
【背景技術】
【０００２】
従来、包装箱を開封して内部の商品に毒物を添加し、或いは傷を付ける等した後、再び密封して正常な商品に混入させて、犯罪などの目的に利用されるのを防ぐために、不正開封防止包装箱が数多く提案されている。例えば、前壁片、右側壁片、後壁片、左壁片を折曲げ線を介して順次折り畳んで筒状体を構成し、前壁片の上下両端部にそれぞれ折畳み自在に連設した蓋板及び底板によって筒状体の上下開口部を閉塞できるように構成してなる公知の箱体において、箱本体の筒状部を構成する後壁片の上下両端部に、後壁片の内側に折込むための閉止用当接板をそれぞれ連設し、この閉止用当接板の折曲げ部には、蓋板及び底板の先端にそれぞれ連続するようにして形成した閉止用舌片を挿入させるための挿入孔を穿設するとともに、閉止用当接板の折込み時における内側（後壁片と接する側の面）に、蓋板及び底板の先端に連設した閉止用舌片の裏面を当接貼着せしめるように構成してなる開封防止機構を備えた包装箱である（特許文献１参照）。
【０００３】
他の例として、プリンターのカートリッジ用の不正開封防止包装箱について、従来から図１７に示すような包装箱が使用されている。この包装箱は蓋フラップにジッパー式の切れ目を備える切取り部（以下ジッパー片）を設けたもので、開封して内部のカートリッジを取り出す際にジッパー片を剥ぎ取るので純正メーカーの印刷を施した包装箱に傷がついて再使用ができなくなる。ところが、包装箱を開封する際にジッパー片を巧妙に引き出し、或いは稀にジッパー片を剥ぎ取らないでも開封することができ、次に、この剥ぎ取りの破れがない包装箱に偽物のカートリッジを詰め詰め治す流通に出すことができるのでカートリッジの偽物が横行する。以下に、図１７を参照しながら不正開封防止構造の包装箱の使用例を説明する。
【０００４】
図１７（ａ）では、包装箱の中にカートリッジを収容したあと、蓋を閉じる前の状態を示し、包装箱２０００を蓋側から見た斜視図で、箱の底部側は省略した。外蓋片１４が半開きの状態で、この裏側に裏蓋片１２が対面し、この周りを側壁片２２、２３が囲む。外蓋片１４の手前中央から外方へ略三角形状に開くジッパー片１４３備え、この左右にジッパー切れ目ａ、ａが刻まれている。ジッパー片１４３の手前側は外蓋片１４の手前の辺と同一線上に折り目Ｓを備え、更に手前延長上に外フラップ１４１とこの左右に折り目Ｔ、Ｔを介して突片１４２、１４２を備える。一方、裏蓋片１２の手前の辺に沿って中央に傾斜片１２１を備え、この根元に折り目Ｕと左右に切れ目ｊ、ｂを備える。また、この傾斜片１２１と側壁片２２の内壁の間に左右方向の細長いスリット溝１２２を備える。包装箱の不正開封防止は以上のような構成であって、包装箱２０００の蓋を閉じる際に、外蓋片１４の手前側の外フラップ１４１を折れ目Ｓの部位からジッパー片１４３に対して直角に折り曲げると同時に、外フラップ１４１の左右の突片１４２、１４２を折れ目Ｔ、Ｔの部位から折って裏面に重ねる。この状態を保ったまま、外フラップ１４１を裏蓋片１２のスリット溝１２２へ目がけて差し込む。この時、傾斜片１２１の左右は切れ目ｊ、ｂを備え、根元は折れ目Ｕを備えるので、傾斜片１２１は折れ目Ｕの部位から下方へ折れ傾斜する。従って、外フラップ１４１は左右の突片１４２、１４２を裏面に夫々折り畳んだ状態で、スリット溝１２２を貫通する。
【０００５】
外フラップ１４１をスリット溝１２２に挿着した状態を、包装箱２０００の内側から見た図１７（ｂ）に示す。ここで、蓋部は三重構造になっており、最外の外蓋片１４の内側に裏蓋片１２が重なり、更にこの内側に左右の内蓋片１１、１３が重なる。外フラップ１４１の左右の突片１４２、１４２は、スリット溝１２２を通り抜けると折り癖によって折れ目Ｔ、Ｔの部位から左右に開いて外フラップ１４１の裏面に対して起立する。この状態では、突片１４２、１４２の下辺が夫々左右の内蓋片１１、１３の面に開脚した状態となる。この結果、左右の突片１４２、１４２がストッパーの機能を有するので、外フラップ１４１は包装箱２０００の外側へ抜け出せなくなり、包装箱２０００を閉じた状態に保つ。この状態でカートリッジは包装箱の中に梱包され、流通に出回ることになる。
【０００６】
次に、顧客が包装箱を受取り、中のカートリッジを取り出す手順を説明する。通常ならこの状態では、裏蓋片１２の裏側において外フラップ１４１の左右の突片１４２、１４２が開脚してストッパーの役目をするので蓋が開かない。そこで、蓋部を開けるためには、ジッパー片１４３を裏蓋片１２に差し込んだまま孔１４４（図１７（ａ）を参照）に指を入れてジッパー切れ目ａ、ａの部位から破って、ジッパー片１４３を裏蓋片１２から切り離し、この状態が図１７（ｃ）に示す。次いで、裏蓋片１２を手前側に開き、更に内側の左右の内蓋片１１、１３を観音開きにして開ける。以上の手順によって、包装箱の中からカートリッジを取り出すことができる。
【０００７】
以上のように包装箱を開封する際、外蓋片１４のジッパー切れ目ａ、ａが破られるので、純正メーカーの印刷を施した包装箱２０００が傷ものになる。従って、中のカートリッジを取り出して、偽物或いは粗悪のカートリッジにすり替え、しかる後に純正メーカーの包装箱２０００を使用しても包装箱が傷ものなので偽装工作が不可能となる。
【０００８】
しかしながら、この従来の包装箱２０００ではジッパー片１４３を破ることなく蓋面部を開封する恐れがあり、純正メーカーの包装箱２０００中のカートリッジを偽物或いは粗悪品にすり替えて偽装工作を可能にする。即ち、ジッパー片１４３の左右の突片１４２、１４２の折れ戻り具合は段ボールの持つ特性任せなので、大半は折り癖によって戻り外フラップ１４１の裏面に対して起立する。しかしながら稀に外フラップ１４１の裏側に突片１４２、１４２が重なったままの状態を保つことがある。この場合に限ると、左右の突片１４２、１４２が重なったまま外フラップ１４１をスリット溝１２２から外に引き出して蓋を開封することができ、純正メーカーの包装箱２０００は傷が生じることがない。従って、純正品のカートリッジを抜き取った後、純正メーカーの印刷を施した包装箱２０００の中に偽物或いは粗悪のカートリッジを梱包して流通に流すことが可能となる。
【先行技術文献】
【特許文献】
【０００９】
【特許文献１】特公平３−２７４０号公報
【発明の概要】
【発明が解決しようとする課題】
【００１０】
以上の通りであって、特許文献１に代表されるように、従来の不正開封防止の包装箱には次のような問題点がある。
【００１１】
上記の特許文献１の発明は、壁片と糊代との貼付部分に、非常に困難であるが薄い刃物を入れて切離すと、上下端に連設された折込片が単に差込まれただけなので、壁片が開いて不正開封防止にならない欠陥がある。
【００１２】
他に、折れ戻り具合は段ボールの有する特性任せなので、カートリッジの例のようにジッパー片を破ることなく、蓋を開けることができる場合が稀に生じる。このように、折れ戻りが段ボールの有する特性任せである従来のカートリッジ用の包装箱では包装箱の不正開封を完全に防止することは不可能である。従って、輸送の途中などで包装箱の蓋を開けて詰込まれた商品を抜き取り、或いは粗悪品と摩り替えて偽装工作をされる恐れがあり、その場合、包装箱に傷が生じないので不正開封が行われたことが判明し難いという問題がある。
【００１３】
そこで、本発明の不正開封防止包装箱は、従来のこのような問題点に着目してなされたもので、段ボール片に設けた折り目の折り癖による反発力を利用して、強制的に折れ戻り可能に舌片の構成を工夫したものであって、詰込まれた商品を輸送中に抜き取ったり、すり替えたりする等の偽装工作を不可能にし、もし不正に開封されたときはジッパー切れ目を設けることによって直ちにそれを判別できるようにした不正開封防止包装箱を提供することを目的とする。
【課題を解決するための手段】
【００１４】
上記目的を達成するために、請求項１の不正開封防止包装箱は、次のように構成した。すなわち、蓋部、側壁部及び底部が連設された直方体状の包装箱において、該蓋部は、上側から外蓋片、裏蓋片及び内蓋片によって三重に構成され、該外蓋片の手前の辺に沿った折り目Ｓの外側に外フラップが設けられ、該外フラップには該折り目Ｓより僅か上方に平行に設けた切れ目ｈと左右の切れ目ｇに挟まれる矩形状の中フラップが設けられ、該中フラップに折れ溝を形成するため切れ目ｈの左右に折り目Ｓへ短い切れ目ｑが設けられ、かつ、該外蓋片に中央から折り目Ｓの左右端へ三角形状のジッパー片を剥ぎ取り可能に設け、一方、該外蓋片と対面する裏蓋片の側壁部との境界の折り目Ｆに沿って底辺を折り目Ｆの一部とする舌片が曲折可能に設けられるとともに、この舌片の内側に沿って細長いスリット溝が形成されてなり、該外フラップが直角に曲折されて該中フラップとともに該スリット溝に挿着され、該舌片は直角に曲折されて該折れ溝へ挿通されて該蓋部が閉じた状態となることを特徴としている。
中フラップは請求項２に示すように、左右の切れ目ｇの根元に曲折自在に折り目を設けるとよい。
また、外フラップは請求項３に記載したように、根元の左右に鍵状に凹んだノッチを設け、このノッチ間の内法長さを前記スリット溝の長さと略同等とするのがよい。
【発明の効果】
【００１５】
本発明にかかわる包装箱によれば、一旦商品を梱包して密封した後はジッパーを
剥ぎ取らなければ開封できない。従って詰込まれた純正品を抜き取り、偽物或いは粗悪の品物にすり替えたりするには、ジッパー片を剥ぎ取らなければならないので、包装箱に傷が生じ不正開封が行われたことが瞬時に判明する。純正品に交じって偽物が流通するのを未然に防ぐことができ、偽物の流通を無くしたい生産者或いは需要家の要望を充足させることができる。
【図面の簡単な説明】
【００１６】
【図１】実施例１の不正開封防止用包装箱２００Ａの展開図で、段ボール１００Ａである。
【図２】同上、包装箱２００Ａの中に商品を収容した後、蓋を閉じる前の状態を示し、蓋側から見た斜視図である。
【図３】同上、外蓋の舌片を裏蓋のスリット溝に挿着した状態を示し、包装箱２００Ａの内側から見た斜視図及び一部拡大の断面図である。
【図４】同上、ジッパー片を外蓋から剥ぎ取った状態を示し、包装箱２００Ａの蓋側から見た斜視図である。
【図５】同上、不正開封防止用包装箱２００Ａ‘の展開図で、段ボール１００Ａ’である。
【図６】実施例２の段ボールケース２００Ｂの展開図で、段ボール１００Ｂである。
【図７】同上、包装箱２００Ｂの中に商品を収容した後、裏蓋を閉じる前の状態を示し、蓋側から見た斜視図である。
【図８】同上、外蓋を閉じる前の状態を示し、蓋側から見た斜視図である。
【図９】同上、外蓋の舌片を裏蓋のスリット溝に挿着した状態を示し、包装箱２００Ｂの内側から見た斜視図及び一部拡大の断面図である。
【図１０】同上、ジッパー片を外蓋から剥ぎ取った状態を示し、包装箱２００Ｂの蓋側から見た斜視図である。
【図１１】実施例３の段ボールケース２００Ｃの展開図で、段ボール１００Ｃである。
【図１２】同上、包装箱２００Ｃの中に商品を収容した後、裏蓋を閉じる前の状態を示し、蓋側から見た斜視図である。
【図１３】同上、外蓋の舌片を裏蓋のスリット溝に挿着した状態を示し、包装箱２００Ｃの内側から見た斜視図である。
【図１４】同上、ジッパー片を外蓋から剥ぎ取った状態を示し、包装箱２００Ｃの蓋側から見た斜視図である。
【図１５】同上、段ボールケース２００Ｃ‘の展開図で、段ボール１００Ｃ’である。
【図１６】同上、包装箱２００ＡＣ‘の中に商品を収容した後、蓋を閉じる前の状態を示し、蓋側から見た斜視図である。
【図１７】従来例の不正開封防止用包装箱の使用状態を示す斜視図である。
【発明を実施するための形態】
【００１７】
本発明の実施の形態を、添付図面に例示した本発明の実施例に基づいて以下に具体的に説明する。
【実施例１】
【００１８】
先ず、本発明の実施例１ついて、図１〜図５を参照しながら説明する。本実施例１の包装箱はボトムロック形式と称し、隣同士の底面片が巴状に互いに絡み合って底が抜けないようにした箱である。図１は包装箱２００Ａの展開図で、段ボール１００Ａである。図２は、包装箱２００Ａの中に商品を収容した後、蓋を閉じる前の状態を示し、蓋側から見た斜視図である。図３は、外蓋の舌片を裏蓋のスリット溝に挿着した状態を示し、包装箱２００Ａの内側から見た斜視図及び一部拡大の断面図である。図４は、ジッパー片を外蓋から剥ぎ取った状態を示し、包装箱２００Ａの蓋側から見た斜視図である。図５は包装箱２００Ａ‘の展開図で、段ボール１００Ａ’である。なお、これらの図において上下を上下方向と称し、左右を左右方向と称し、他の実施例についても同様である。
【００１９】
ほぼ矩形状をした段ボール１００Ａには、所定の箇所に複数の折り目を設けてあるので、それらの設け方について以下に説明する。図１に示すように、段ボール１００Ａは、左右方向の折り目に沿って、上下方向に蓋部１０、側壁部２０及び底部３０に三段に分割される。段ボール１００Ａの上下及び左右の方向については、上記の通りとし、他の実施例についても同様である。図中の点線は折り目を示し、他の実施例についても同様である。上下方向に蓋部、側壁部及び底部に分割されるように、上段から下段にかけて、上段左右方向に折り目Ｆを断続的に備え、その下方に左右方向平行に折り目Ｇを断続的に夫々平行に備える。そして、二段目の側壁部２０には上記した折り目に対し直角の上下方向に左方から折り目Ｈ、折り目Ｊ、折り目Ｋを夫々平行に備える。一段目の蓋部１０は切れ目を介して左右に内蓋片１１、１３、裏蓋片１１及び外蓋片１４に分割される。右端の外蓋片１４には、上辺中央部に折り目に沿ってジッパー片を設ける。上辺に沿って折り目Ｓ、Ｓを不連続に備え、この内側へ逆三角形状のジッパー片１４３を備え、この三角形を形成する左右の二辺にジッパー切れ目ａ、ａを刻む。一方、折り目Ｓ、Ｓの外側へ略矩形状の外フラップ１４１を備え、この内側に左右の切れ目ｇ、ｇに挟まれるように略矩形状の中フラップ１４２が設けられる。この中フラップ１４２の下側は折り目Ｓ、Ｓより僅か上方平行に切れ目ｈを備え、この切れ目ｈは中フラップ１４２の先端辺を構成する。また、切れ目ｈの左右に折り目Ｓから直立して短い切れ目ｑ、ｑを備える。逆三角形状のジッパー片１４３の先端には孔１４４が開けられる。この外蓋片１４に対面する裏蓋片１２には、側壁部２０の境界の折り目Ｆに沿って裏蓋片１２側に突き出るように略矩形状の舌片２２１を備える。この舌片２２１の底辺は折り目Ｆの一部であり、この外側を切れ目ｋが囲い、更にこの外側を狭い間隔を隔てて切れ目ｊが囲う。また、舌片２２１の下辺を形成する折り目Ｆの左側は複雑、微細に切れ目を備える。左方から続く折り目Ｆから短い切れ目ｍが直立し、右側へ折り目Ｆに平行に切れ目ｎが切れ目ｊまで延び、そこから切れ目ｆが傾斜して舌片２２１の折り目Ｆと交わる。舌片２２１の下辺を形成する折り目Ｆの右側も同様である。二段目の側壁部２０については、折り目を介して左右に側壁片２１、２２、２３及び２４に分割される。右端は折り目Ｚを介して貼着片２５を設ける。三段目の底部３０は切れ目を介して左右に底面片３１、３２、３３及び３４に分割され、夫々異形状に形成される。
【００２０】
段ボール１００Ａは以上の構成であり、以下に折り上げる手順について簡単に説明する。
【００２１】
先ず、側壁部２０から折り上げる。折り目Ｈ、Ｊ、Ｋの部位から、側壁面２１、２２、２３、２４を四角に囲むように折り曲げ、最後に糊代片２５を側壁面２１の内側先端部に糊付けすることにより側壁部２０の折り上げが完了する。次に、底部３０を上にして、隣同士の底面片が巴状に互いに絡み合うように折り上げる。最後に貼着片３２１、３４１を夫々糊づけすることによって、隣同士の底面片が巴状に絡み合うことと相俟って合底が抜けないボトムロック形式の底部が完成する。これで、包装箱の折り上げは一先ず終わり、後はカートリッジを中に収容する時に蓋を閉じる。その際、先ず、対向する内蓋片１１、１３を両側から観音扉を閉じるように閉め、その上から裏蓋片１２を閉じ、最後にその上から外蓋片１４を閉じるので、蓋面は三重構造となる（後の図４参照）。不正開封防止のための舌片の挿着については後述する。なお、段ボールケース２００Ａの方向については、蓋部１０と底部３０との方向を上下方向とし、他の実施例についても同様である。
【００２２】
以上のように一枚の段ボールから包装箱へと折り上げられ、次に図２、３及び図４を参照しながら不正開封防止のための舌片、ジッパー片等の作用について説明する。
【００２３】
図２は、包装箱２００Ａの中にカートリッジを収容したあと、蓋を閉じる前の状態を示す斜視図である。なお、箱の底部側は省略している。
外蓋片１４は半閉じの状態で、この裏側に裏蓋片１２が対面し、この周りを側壁片２２他が囲む。外蓋片１４の手前中央から後方へ略三角形状のジッパー片１４３を備え、この左右にジッパー切れ目ａ、ａがギザギザ状に刻まれている。
ジッパー片１４３の三角形の底辺は、外蓋片１４の手前の辺と同一線上に設けた折り目Ｓ、切れ目ｈ、折り目Ｓからなる。更に手前外側に外フラップ１４１及びこれに囲まれるように中フラップ１４２を備え、この中フラップ１４２の左右に切れ目ｇ、ｇとジッパー片１４３側に切れ目ｈを備える。
一方、裏蓋片１２の手前の辺に沿って中央に折り目Ｆを介して舌片２２１が突出し、この左右に切れ目ｍ、ｎを左右対称に備える。なお、側壁片２２の上方内周面に沿って、切れ目ｍ、ｎと側壁片２２の内周面とによって細長い溝状のスリット溝１２２が、舌片２２１の根元左右から中央に形成される。包装箱の不正開封防止については以上のような構成であって、包装箱２００Ａの蓋を閉じる際に、外蓋片１４の手前側の外フラップ１４１を折れ目Ｓ、Ｓの部位からジッパー片１４３に対して直角に折り曲げる。
次いで、外フラップ１４１の先端を側壁片２２の内周面に沿った細長い溝状のスリット溝１２２へ目がけて差し込む。同時に、側壁片２２の上辺に立設する舌片２２１はジッパー片１４３の先端切れ目ｈと左右の切れ目ｑ、ｑによって形成される折れ溝１４５を挿通しながら内側へ押されるように裏蓋片１２側へ折れ曲がる。ここで、舌片２２１が中フラップ１４２の切れ目ｈを挿通する時に、先ず中フラップ１４２が傾斜するので切れ目ｈと左右の切れ目ｑ、ｑによって隙間が形成され、この隙間を折れ溝１４５と称する。
続いて、外蓋片１４を押し下げ続けることによって、外フラップ１４１は直角に折れ曲がってスリット溝１２２を貫通する。この状態で、上側からジッパー片１４３、その裏側に舌片２２１が重なり、中フラップ１４２は外フラップ１４１とともに直立して側壁片２２の裏面に密着する。
【００２４】
スリット溝１２２へ外フラップ１４１を貫通させた状態を、包装箱２００Ａの内側から見た斜視図として図３（ａ）に示す。ここで、蓋部は三重構造になっており、最外の外蓋片１４の内側に裏蓋片１２が重なり、更にこの内側に左右の内蓋片１１、１３が重なる。外フラップ１４１がスリット溝１２２を貫通すると同時に、舌片２２１によって中フラップ１４２が内側へ押されながら、一方、中フラップ１４２は内蓋片１１によって押し付けられて側壁片２２の裏面に密着して起立する。図示のように、内側から外側へ向けて左右の内蓋片１１、１３と舌片２２１の周りの裏蓋片１２、その外側に外蓋片１４が重なる。同時に、側壁側へ向けて外フラップ１４１と一回り小さい中フラップ１４２が起立し、その外側に側壁片２２が重なる。これらの重なり状態を断面図として図３（ｂ）示す。この状態では、中フラップ１４２は直立しているので、この先端辺の切れ目ｈが舌片２２１の折れ目Ｆの近傍を押さえつける。即ち、舌片２２１は折れ溝１４５を挿通するとともに直角に曲折され、かつ、前記中フラップ１４２の先端辺が舌片２２１の折り目Ｆ近傍の曲折部根元に当接する。更に内蓋片１１の先端辺によって中フラップ１４２は側壁片２２側へ押しつけられているので中フラップ１４２先端辺の切れ目ｈが舌片２２１を確実に押さえ込む。この結果、中フラップ１４２がストッパーの役目をし、中フラップ１４２とこれを囲む外フラップ１４１を包装箱２００Ａの外側へ抜け出せなくなり、包装箱２００Ａを閉じた状態に保つことができる。この状態でカートリッジは包装箱の中に梱包され、流通に出回ることになる。上述したように、内蓋片１１の先端辺によって中フラップ１４２は側壁片２２側へ押さえつけられているので、万が一でも中フラップ１４２が折り目Ｆの近傍から箱の内蓋片１１、１２側へ外れるようなことが生じない。その結果、外フラップ１４１をスリット溝１２２の隙間から外へ抜き出すことは不可能となる。
【００２５】
次に、顧客が包装箱を受取った後、中のカートリッジを取り出す手順を説明する。通常なら図３（ｂ）の状態では、裏蓋片１２の裏側において中フラップ１４２の先端辺が舌片２２１を押さえ込んでいるので外蓋片１４が外側へ開かない。そこで、蓋部を開けるためには、ジッパー片１４３を裏蓋片１２に差し込んだまま孔１４４（図２を参照）に指を入れてジッパー切れ目ａ、ａの部位から破って、ジッパー片１４３を表蓋片１４から切り離す他なく、この状態を図４に示す。次いで、裏蓋片１２を手前側に開き、更に内側の左右の内蓋片１１、１３を観音開きにして開ける。以上の手順によって、包装箱の中からカートリッジを取り出すことができる。
【００２６】
以上のように包装箱を開封する際、外蓋片１４のジッパー切れ目ａ、ａを破るので、純正メーカーの印刷を施した包装箱２００Ａが傷ものになる。従って、中のカートリッジを取り出して、偽物或いは粗悪のカートリッジにすり替え、しかる後に純正メーカーの包装箱２００Ａを使用しても包装箱が傷ものなので偽装工作はできない。
【００２７】
次に、前述した中フラップ１４２について若干異なる形式を図５に示す。本形式の前述した形との主たる相違点は中フラップ１４２であって、特に、折り目を設けたところにある。本形式の中フラップ１４２の折り目は基本的には前述したように必要としないが、ここでは、中フラップ１４２の上辺に折り目を設ける形式について以下に説明する。図に示すように、右端の外蓋片１４には、上辺の折り目Ｓ、Ｓの外側へ略矩形状の外フラップ１４１を馬蹄形状に備え、この内側に左右の切れ目ｇ、ｇに挟まれて略矩形状の中フラップ１４２が設けられる。この中フラップ１４２の下側は折り目Ｓ、Ｓより僅か上方で平行に切れ目ｈが備える。また、切れ目ｈの左右に折り目Ｓから直立して短い切れ目ｑ、ｑを備える。そして、中フラップ１４２の左右に切れ目ｇ、ｇを備え、これらの上方根元に本形式特有の折り目Ｖを設ける。この折り目Ｖを設けることによって、裏蓋片１２手前のスリット溝１２２（図２参照）に外フラップ１４１を挿入する動きに連動して、舌片２２１を中フラップ１４２の中に押し込む際に、段ボールの曲折抵抗を軽減するために有効である。
【実施例２】
【００２８】
次に、本発明の実施例２ついて、図６〜図１０を参照しながら説明する。本実施例２の包装箱は組立箱形式のものである。図６は、本実施例の段ボールケース２００Ｂの展開図で、段ボール１００Ｂである。図７は、包装箱２００Ｂの中に商品を収容した後、裏蓋を閉じる前の状態を示し、包装箱２００Ｂの蓋側から見た斜視図である。図８は、外蓋を閉じる前の状態を示し、包装箱２００Ｂの蓋側から見た斜視図である。図９は、外蓋の舌片を裏蓋のスリット溝に挿着した状態を示し、包装箱２００Ｂの内側から見た斜視図及び一部拡大の断面図である。図１０は、ジッパー片を外蓋から剥ぎ取った状態を示し、包装箱２００Ｂの蓋側から見た斜視図である。
【００２９】
本実施例の実施例１との主たる相違点は、包装箱の底の形式が異なるところにある。
【００３０】
ほぼ矩形状をした段ボール１００Ｂには、所定の箇所に複数の折り目を設けてあるので、それらの設け方について以下に説明する。図６に示すように、段ボール１００Ｂは、左右方向の折り目に沿って、上下方向に蓋部４０、側壁部５０、蓋・底・側壁部６０、底部７０及び蓋部８０に五段に分割される。上下方向に蓋部、側壁部、蓋・底・側壁部、底部及び蓋部に分割されるように、上段から下段へかけて、折り目Ｃを上段中央左右方向に備え、折り目Ｌを中央左右方向に備え、その下方に平行に折り目Ｍを中央左右方向に、そして、折り目Ｄを夫々平行に備える。そして、上記した折り目に対し直角の上下方向に上下３段を貫通するように左方から折り目Ｐ、折り目Ｑを夫々平行に備える。なお、三段目には、折り目Ｐ、折り目Ｑの左右に夫々折り目Ｎ、折り目Ｒを備える。一段目の蓋部４０は折り目Ｃの上方に台形状の蓋片４１を備える。二段目の側壁部５０は折れ目を介して左右に内側壁片５１、外側壁片５２、内側壁片５３に分割される。内側壁片５１の左上端にはスリット５１１を備え、内側壁片５３の右下端にはスリット５３１を備える。次に、三段目の蓋・底・側壁部６０は折れ目を介して左右に外蓋片６１、外側壁片６２、底面片６３、外側壁片６４及び内蓋片６５に分割される。左端の外蓋片６１には、左辺中央部に折り目に沿ってジッパー片を設ける。左辺に沿って折り目Ｓ、Ｓを不連続に設け、この内側へ略三角形状のジッパー片６１３を備え、この略三角形を形成する二辺にジッパー切れ目ａ、ａを刻む。一方、折り目Ｓ、Ｓの左側へ略矩形状の外フラップ６１１を備え、この内側に左右の切れ目ｇ、ｇに挟まれるように略矩形状の中フラップ６１２が設けられる。この中フラップ６１２の下側は折り目Ｓ、Ｓより僅か上方平行に切れ目ｈを備え、この切れ目ｈは中フラップ６１２の先端辺を構成する。また、切れ目ｈの左右に折り目Ｓから直立して短い切れ目ｑ、ｑを備える。略三角形状のジッパー片６１３の先端には孔６１４が開けられる。この外蓋片６１に対面する裏蓋片６５には、折り目Ｒに沿って裏蓋片６５側に突き出るように略矩形状の舌片６４１を備える。この舌片６４１の左辺は折り目Ｒの一部であり、この周囲を切れ目ｋが囲い、更にこの周囲を狭い間隔を隔てて切れ目ｊが囲う。また、舌片６４１の左辺を形成する折り目Ｒの左側は複雑、微細に切れ目を備える。折り目Ｒから切れ目ｍが僅かに直立し、下方へ直角に折れて切れ目ｎが切れ目ｊまで延び、そこから切れ目ｆが傾斜して舌片６４１の折り目Ｒと交わる。舌片６４１の下辺を形成する折り目Ｆの下側も同様である。四段目の側壁部７０は折れ目を介して左右に内側壁片７１、外側壁片７２、内側壁片７３に分割される。内側壁片７１の左上端にはスリット７１１を備え、内側壁片７３の右下端にはスリット７３１を備える。最後に、五段目の蓋部４０は折り目Ｄの下方に台形状の内蓋片８１を備える。
【００３１】
段ボール１００Ｂは以上の構成であり、以下に折り上げる手順について説明する。
【００３２】
先ず、側壁部５０及び側壁部７０から折り曲げる。側壁部５０の外側壁片５２を折り目Ｌの部位から直立させ、次いで左右の内側壁片５１、５３を夫々折り目Ｐ、Ｑの部位から内側に直角にコの字状に折り曲げる。同様に、側壁部７０の外側壁片７２を折り目Ｍの部位から直立させ、次いで左右の内側壁片７１、７３を夫々折り目Ｐ、Ｑの部位から内側に直角にコの字状に折り曲げる。ここで、側壁部５０のコの字状体に側壁部７０のコの字状体を対向させ、底面片６３を底にした上開きの矩形状体が折り上がる。この時、側壁の左側において内側壁片５１のスリット５１１と内側壁片７１のスリット７１１とが絡み合い、一方、側壁の右側において内側壁片５３のスリット５３１と内側壁片７３のスリット７３１とが絡み合って、底面片６３を底にした上開きの矩形状体の側壁を直立状態に保つ。次に、外側壁片５２上折り目Ｃの部位から内蓋片４１を内側へ直角に折り曲げ、次いで、外側壁片７２下折り目Ｄの部位から内蓋片８１を内側へ直角に折り曲げて、内蓋が完成して庇状に被さる（図７参照）。次に、図７に示すように、外側壁片６４は折り目Ｑの部位から直立し、内側壁片５３と内側壁片７３を外側から覆う。一方、外側壁片６２は折り目Ｐの部位から直立し、内側壁片５１と内側壁片７１を外側から覆う。このようにして、側壁部の折り上げが完了する。これで、包装箱の折り上げは一先ず終わり、後はカートリッジを中に収容する際に蓋を閉じる。その際、内蓋片４１及び内蓋片８１が夫々二方の側壁から内側へ直角に折り曲げられて、先ず左右の側壁沿いに庇状の左右の内蓋片４１、８１なる不連続の内蓋部が形成されており、この上から裏蓋片６５を閉じ、最後にその上から外蓋片６１を閉じることによって、三重構造からなる蓋面が形成される。不正開封防止のための舌片の挿着については後述する。
【００３３】
以上のように一枚の段ボールから包装箱へと折り上げられ、次に図８、９及び図１０を参照しながら不正開封防止のための舌片、ジッパー片等の作用について説明する。
【００３４】
図８に、包装箱２００Ｂの中にカートリッジを収容したあと、蓋を閉じる前の状態を示し、包装箱２００Ｂを蓋側から見た斜視図である。外蓋片６１は半閉じの状態で、この裏側に裏蓋片６５が対面し、この周りを外側壁片６４、７２他が囲む。外蓋片６１の手前中央から外方へ略三角形状に開くジッパー片６１３を備え、この左右にジッパー切れ目ａ、ａがギザギザ状に刻まれている。ジッパー片６１３の三角形の底辺は外蓋片６１の手前の辺と同一線上に設けた折り目Ｓ、切れ目ｈ、折り目Ｓからなる。更に手前外側に外フラップ６１１及びこれに囲まれるように中フラップ６１２を備え、この中フラップ６１２の左右に切れ目ｇ、ｇとジッパー片６１３側に切れ目ｈを備える。一方、裏蓋片６５の手前の辺に沿って中央に舌片６４１が突出し、この左右に対称に切れ目ｍ、ｎ及び切れ目ｍ、ｎを備える。なお、左右の切れ目ｍ、ｎ及び側壁片６４の内周面とによって細長いスリット溝６５２が形成される。包装箱の不正開封防止については以上のような構成であって、包装箱２００Ｂの蓋を閉じる際に、外蓋片６１の手前側の外フラップ６１１を折れ目Ｓ、Ｓの部位からジッパー片６１３に対して直角に折り曲げる。次いで、ジッパー片６１３先端の外フラップ６１１を側壁片６４の内周面に沿った細長いスリット溝６５２へ目がけて差し込む。同時に、舌片６４１はジッパー片６１３の先端切れ目ｈと左右の切れ目ｑ、ｑによって形成される折れ溝１４５を挿通しながら内側へ押されるように裏蓋片６５側へ折れ曲がる。続けて、外蓋片６１を押し下げ続けることによって、外フラップ６１１は直角に折れ曲がってスリット溝６５２の長穴を貫通する。この状態で、上側からジッパー片６１３、その裏側に舌片６４１が重なり、外フラップ６１１は舌片６１２とともに直立して側壁片６４の裏面に密着する。
【００３５】
スリット溝６５２に外フラップ６１１を貫通させた状態を、包装箱２００Ｂの内側から見た斜視図として図９（ａ）に示す。ここで、蓋部は二重構造になっており、最外の外蓋片６１の内側に裏蓋片６５が重なる。外フラップ６１１がスリット溝６５２を貫通すると同時に、舌片６１２によってフラップ６４１が内側へ押されながら折れ曲がり、一方、外フラップ６１１は中フラップ６１２とともに側壁片６４の裏面に密着して起立する。図示のように、上下に内側から外側へ向けて舌片６４１を囲む裏蓋片６５、その外側に外蓋片６１が重なる。同時に、側壁側は内側から外側へ向けて外フラップ６１１と一回り小さい中フラップ６１２が起立し、その外側に側壁片６４が重なる。これらの重なり状態を断面図として図９（ｂ）示す。この状態では、中フラップ６１２は直立しており、この先端辺の切れ目ｈが舌片６４１の折れ目Ｒの近傍を押さえ付けるので中フラップ６１２先端辺の切れ目ｈが舌片６４１を確実に押さえ込む。この結果、中フラップ６１２がストッパーの役目をし、舌片６１２とこれを囲む外フラップ６１１は包装箱２００Ｂの外側へ抜け出せなくなり、包装箱２００Ｂを閉じた状態に保つことができる。この状態でカートリッジは包装箱の中に梱包され、流通に出回ることになる。上述したように、万が一でもフラップ６４１が折り目Ｒの近傍から箱の中央側へ外れるようなことが生じない。その結果、舌片６４１をスリット溝６５２の隙間から外へ抜き出すことは不可能となる。
【００３６】
次に、顧客が包装箱を受取った後、中のカートリッジを取り出す手順を説明する。通常なら図９（ｂ）の状態では、裏蓋片６５の裏側において中フラップ６１２の先端辺が舌片６４１を押さえ込んでいるので外蓋片６１が外側へ開かない。そこで、蓋部を開けるためには、ジッパー片６１３を裏蓋片６５に差し込んだまま孔６１４（図８を参照）に指を入れてジッパー切れ目ａ、ａの部位から破って、ジッパー片６１３を表蓋片６１から切り離す他なく、この状態を図１０に示す。次いで、裏蓋片６５を手前側に開ける。以上の手順によって、包装箱の中からカートリッジを取り出すことができる。
【００３７】
以上のように包装箱を開封する際、外蓋片６１のジッパー切れ目ａ、ａを破るので、純正メーカーの印刷を施した包装箱２００Ｂが傷ものになる。従って、中のカートリッジを取り出して、偽物或いは粗悪のカートリッジにすり替え、しかる後に純正メーカーの包装箱２００Ｂを使用しても包装箱が傷ものなので偽装工作はできない。
【実施例３】
【００３８】
次に、本発明の実施例３ついて、図１１〜図１６を参照しながら説明する。本実施例２の包装箱は組立箱形式のものである。図１１は、本実施例の段ボールケース２００Ｃの展開図で、段ボール１００Ｃである。図１２は、包装箱２００Ｃの中に商品を収容した後、裏蓋を閉じる前の状態を示し、包装箱２００Ｃの蓋側から見た斜視図である。図１３は、外蓋の舌片を裏蓋のスリット溝に挿着した状態を示し、包装箱２００Ｃの内側から見た斜視図である。図１４は、ジッパー片を外蓋から剥ぎ取った状態を示し、包装箱２００Ｃの蓋側から見た斜視図である。図１５は、本実施例の段ボールケース２００Ｃ‘の展開図で、段ボール１００Ｃ’である。図１６は、包装箱２００Ｃ‘の中に商品を収容した後、裏蓋を閉じる前の状態を示し、包装箱２００Ｃ’の蓋側から見た斜視図である。
【００３９】
本実施例の実施例１との主たる相違点は、舌片の折り目近傍に複数の複雑な切れ目を備えるところにあり、かつ、外フラップ１４１の左右根元に鍵状に凹むノッチ１４６、１４６を設けたところにある。以下、主に実施例１と異なる構成について説明する。
【００４０】
ほぼ矩形状をした段ボール１００Ｃには、所定の箇所に複数の折り目を設けてあるので、それらの設け方について以下に説明する。図１１の展開図に示すように、段ボール１００Ｃは、左右方向の折り目に沿って、上下方向に蓋部１０、側壁部２０及び底部３０に三段に分割される。上下方向に蓋部、側壁部及び底部に分割されるように、上段から下段にかけて、上段左右方向に折り目Ｆを断続的に備え、その下方に左右方向平行に折り目Ｇを断続的に夫々平行に備える。そして、二段目の側壁部２０には上記した折り目に対し直角の上下方向に左方から折り目Ｈ、折り目Ｊ、折り目Ｋを夫々平行に備える。一段目の蓋部１０は切れ目を介して左右に内蓋片１１、１２、１３及び１４に分割される。外蓋片１４に対面する裏蓋片１２には、側壁部２０の境界の折り目Ｆに沿って裏蓋片１２側に突き出るように略矩形状の舌片２２１を備える。この舌片２２１の底辺は折り目Ｆの一部であり、この外側を切れ目ｋが囲い、更にこの外側を狭い間隔を隔てて切れ目ｊが囲う。また、舌片２２１の下辺を形成する折り目Ｆの左側は複雑、微細に切れ目を備える。舌片２２１の下辺に折り目Ｆを備え、この折り目Ｆの左右延長上に折り目を左右対称に複雑に設ける。折り目Ｆの左方では短い切れ目ｆが左斜め上に傾斜して形成され、この左延長上に折り目Ｆに平行に切れ目ｎが続き、更にこの延長上に左斜め上に傾斜して切れ目ｐが続く。舌片２２１の折り目Ｆの右側も同様である。そして、外フラップ１４１の左右根元に外蓋片１４に沿って鍵状に凹むノッチ１４６、１４６を設ける。
【００４１】
段ボール１００Ｃは以上の構成であり、以下に折り上げる手順は実施例１と同様なので、不正開封防止のための舌片の近傍の切れ目の作用について説明する。
【００４２】
包装箱２００Ｃの中に商品を収容した後、裏蓋を閉じる前の蓋側から見た斜視図を図１２に示した。側壁片２２の上辺折り目Ｆに沿って舌片２２１が上方へ突出し、その左右対称に複雑に構成された切れ目が設けられる。舌片２２１の左方根元から切れ目ｆが傾斜して設けられ、裏蓋片１２の手前の辺近傍で側壁片２２に平行に切れ目ｎ、その延長上に傾斜して切れ目ｐが、そして切れ目ｎに垂直に切れ目ｄが夫々設けられる。そして、ジッパー片１４３を外蓋片１４から剥ぎ取った状態を、包装箱２００Ｃの裏蓋側から見た斜視図として図１４に示した。側壁片２２の上辺折り目Ｆに沿って剥ぎ取られたジッパー片１４３が細長いスリット溝１２２に挿着された儘であり、その左右対称に複雑に構成された切れ目が設けられる。ジッパー片１４３の左方根元から、裏蓋片１２の手前の辺近傍で側壁片２２に平行に切れ目ｎ、その延長上に斜め上に切れ目ｐが曲がり、そして切れ目ｎに垂直に手前側に切れ目ｄが夫々設けられる。図１２に示すように、これらの複雑に構成された切れ目はスリット溝１２２の左右に形成される。ここで、外フラップ１４１の根元左右に鍵状の凹んだノッチ１４６、１４６を設け、一方、外蓋片１４の前方辺に沿って細長いスリット溝１２２が形成され、外フラップ１４１の左右のノッチ１４６、１４６間の内法がスリット溝１２２の長さと略同等であり、かつ、外フラップ１４１の幅方向外法が前記スリット溝１２２の長さより長い。このような外フラップ１４１の幅方向外法とスリット溝１２２の長さ寸法との関係において、外フラップ１４１の先端を側壁片２２の内周面に沿った細長い溝状のスリット溝１２２へ目がけて差し込む。この際、スリット溝１２２の左右端に切れ目ｎ、ｐ、ｄを備えるので、スリット溝１２２の長さより幅方向外法が長い外フラップ１４１は、切れ目ｎ、ｐ、ｄの部位を内側へ押し曲げるのでスリット溝１２２に差し込み、挿着され易い。換言すれば、外フラップ１４１をスリット溝１２２に押し込む際、外フラップ１４１によってスリット溝１２２の左右端を破るようなことが生じない。一方、外フラップ１４１がスリット溝１２２に挿着して外蓋片１４を閉じた状態から、外蓋片１４を開ける際に、外フラップ１４１の左右のノッチ１４６、１４６間の内法長さがスリット溝１２２の長さと略同等であり、かつ、外フラップ１４１の外法長さが前記スリット溝１２２の長さより長いので、鍵状のノッチ１４６、１４６の部位が裏蓋片１２の裏面に係止されて外蓋片１４が開かない。
【００４３】
次に、前述した中フラップ１４２について若干異なる形式を図１５に示す。本形式の前述した図１１との主たる相違点は、中フラップ１４２の上側に折り目Ｖを設けるところにある。本形式の中フラップ１４２の折り目は基本的には前述したように必要としないが、ここでは、中フラップ１４２の上辺に折り目を設ける形式について以下に説明する。図に示すように、右端の外蓋片１４には、上辺の折り目Ｓ、Ｓの外側へ略矩形状の外フラップ１４１を馬蹄形状に備え、この内側に左右の切れ目ｇ、ｇに挟まれて略矩形状の中フラップ２２１が設けられる。この中フラップ１４２の下側は折り目Ｓ、Ｓより僅か上方で平行に切れ目ｈが備える。そして、中フラップ１４２の上側に本形式特有の折り目Ｖを設ける。このことによって、裏蓋片１２手前のスリット溝１２２に外フラップ１４１を挿入する動きに連動して、舌片２２１を中フラップ１４２の中に押し込む際に、段ボールの曲折抵抗を軽減するために有効である。そして、包装箱２００Ｃ‘の中に商品を収容した後、裏蓋を閉じる前の蓋側から見た斜視図を図１６に示した。側壁片２２の上辺折り目Ｆに沿って舌片２２１が上方へ突出し、その左右対称に複雑に構成された切れ目が設けられる。なお、側壁片２２の内周面に沿って、左右の切れ目ｍ、ｎと切れ目ｍ、ｎ及び側壁片２２の内周面とによって細長い溝状のスリット溝１２２が形成される。この場合においても、スリット溝１２２の長さより幅方向外法が長い外フラップ１４１は、切れ目ｎ、ｐ、ｄの部位を内側へ押し曲げるのでスリット溝１２２に差し込み、挿着され易い。また、外フラップ１４１の外法長さが前記スリット溝１２２の長さより長いので、鍵状のノッチ１４６、１４６の部位が裏蓋片１２の裏面に係止されて外蓋片１４が開かない。
【産業上の利用可能性】
【００４４】
なお、本発明の使途は実施例に示したカートリッジの不正開封防止の他に、食品、薬品等を収容する包装箱に好適である。この場合、内部に収容された食品、薬品に有害物を注入する等の細工を施されるような危険を防止するために有効である。
【符号の説明】
【００４５】
１００Ａ、１００Ａ‘、１００Ｂ、１００Ｃ、１００Ｃ‘  段ボール
２００Ａ、２００Ｂ、２００Ｃ、２００Ｃ‘、２０００  包装箱
１０  蓋部
１１  内蓋片、１２  裏蓋片、１３  内蓋片、１４  外蓋片
１２２  スリット溝
１４１  外フラップ、１４２  中フラップ、  １４３  ジッパー片、１４４  孔
１４５  折れ溝、１４６  ノッチ
２０  側壁部
２１、２２、２３、２４  側壁片、２５  貼着片
２２１  舌片
３０  底部
３１、３２、３３、３４  底面片
３２１  貼着片、３４１  貼着片
４０  蓋部、４１  内蓋片
５０  側壁部
５１  内側壁片、５２  外側壁片、５３  内側壁片
６０  蓋・底・側壁部
６１  外蓋片、６２  外側壁片、６３  底面片、６４  外側壁片、６５  裏蓋片
６１１  外フラップ、６１２  中フラップ、６１３  ジッパー片、６１４  孔
６４１  舌片
６５２  スリット溝
７０  側壁部
７１  内側壁片、７２  外側壁片、７３  内側壁片
８０  蓋部、８１  内蓋片
Ｃ、Ｄ、Ｆ、Ｇ、Ｈ、Ｊ、Ｋ、Ｌ、Ｍ、Ｎ、Ｐ、Ｑ、Ｒ、Ｓ、Ｔ、Ｕ、Ｖ  折り目
ａ  ジッパー切れ目
ｂ、ｃ、ｄ、ｅ、ｆ、ｇ、ｈ、ｊ、ｋ、ｍ、ｎ、ｐ、ｑ  切れ目
【図１】
0005514476.tif 000002
【図２】
0005514476.tif 000003
【図３】
0005514476.tif 000004
【図４】
0005514476.tif 000005
【図５】
0005514476.tif 000006
【図６】
0005514476.tif 000007
【図７】
0005514476.tif 000008
【図８】
0005514476.tif 000009
【図９】
0005514476.tif 000010
【図１０】
0005514476.tif 000011
【図１１】
0005514476.tif 000012
【図１２】
0005514476.tif 000013
【図１３】
0005514476.tif 000014
【図１４】
0005514476.tif 000015
【図１５】
0005514476.tif 000016
【図１６】
0005514476.tif 000017
【図１７】
0005514476.tif 000018